(57)【特許請求の範囲】
【請求項１】
送話部及び又は操作部を有する第１の筐体と受話部及び又は表示部を有する第２の筐体とをヒンジ部を介して回動可能に連結するとともに、前記ヒンジ部をカバーするカバー部分の少なくとも一部が、前記第１の筐体を構成するケース部材及び第２の筐体を構成するケース部材とは独立した別部品として構成され、この別部品として構成されたカバー部材が前記ケース部材の何れかに取り付けられる構成の折畳み式携帯無線通信機において、
前記カバー部材が取り付けられるケース部材のカバー部材取付部の近傍に、アンテナを取り付けるアンテナ取付部を設け、
このアンテナ取付部に取り付けた前記カバー部材とは別部品として構成されているアンテナを、前記カバー部材取付部に取り付けられた前記カバー部材に形成されているリブにより押さえて固定することを特徴とする折畳み式携帯無線通信機。
【請求項２】
前記アンテナは、板状のアンテナであることを特徴とする請求項１に記載の折畳み式携帯無線通信機。
【請求項３】
前記アンテナは、基板上に線状のアンテナがパターン形成された変形モノポールアンテナであることを特徴とする請求項１または２に記載の折畳み式携帯無線通信機。
【発明の詳細な説明】
【技術分野】
【０００１】
本発明は、折畳み式の携帯無線通信機に関する。
特に、送話部及び又は操作部を有する第１の筐体と受話部及び又は表示部を有する第２の筐体とを回動可能に連結するヒンジ部をカバーするカバー部分の少なくとも一部が、第１の筐体を構成するケース部材及び第２の筐体を構成するケース部材とは独立した別部品として構成され、この別部品として構成されたカバー部材が前記ケース部材の何れかに取り付けられる構成で、且つ、アンテナが第１の筐体或いは第２の筐体の何れかに内蔵された折畳み式の携帯無線通信機に関する。
【背景技術】
【０００２】
携帯型の無線通信機としては、携帯電話機が広く普及している。そして、最近では、表示画面が大きく取れ、携帯にも便利な折畳み式の携帯電話機が主流となっている。
また、最近の折畳み式携帯電話機では、デザインの多様化で、本体側筐体と表示側筐体とを色分け（本体側筐体と表示側筐体とで筐体の色を異ならせる）したり、本体側筐体や表示側筐体において筐体（ケース）の表面と裏面とを色分けしたりすることが行われている。そして、その際のヒンジ部の見栄えをよくするために、ヒンジ部のカバーを筐体を構成するケース本体とは別部材で構成することも行われている（例えば特許文献１及び特許文献２参照）。
【０００３】
また、最近の携帯電話機では、折畳み式のものにおいてもアンテナを内蔵したものが開発されている。
そして、折畳み式の携帯電話機、特に外部インタフェース用のコネクタが操作側ユニットの下端部側に設けられている折畳み式携帯電話機では、操作側ユニットの上端部側（ヒンジ部側）にアンテナが内蔵される構成となっている（例えば特許文献３参照）。
【特許文献１】特開２００２−１３９０２４号公報
【特許文献２】特開２００３−３０４３１０号公報
【特許文献３】特開２００３−８３２０号公報（特に段落００５４参照）
【発明の開示】
【発明が解決しようとする課題】
【０００４】
ところで、ケースの色を表と裏で異ならせる場合、ヒンジカバー部がケース部材と一体に形成されていると、一方のケース部材に形成されているヒンジカバー部を、他方のケース部材と同一の色にする必要がある。このため、前記一方のケース部材は、本体部とヒンジカバー部にそれぞれ別の色を塗装することになり、その塗装の場合、マスキングが必要となる。
従って、ケース部材とは別部品のヒンジカバー部材とすれば、マスキング無しで塗装できる。
【０００５】
また、内蔵アンテナ、例えば基板上に線状のプリントパターンを形成してなるアンテナをケース部材内に直接固定すると、メンテナンス時等において、アンテナ基板の着脱時にアンテナに傷を付けたり、係止爪が折れてしまうといった虞がある。
【０００６】
本発明の課題は、ヒンジカバー部材がケース部材の何れかに取り付けられる構成の折畳み式携帯無線通信機において、内蔵アンテナの固定を簡易化することである。
【課題を解決するための手段】
【０００７】
以上の課題を解決するため、請求項１に記載の発明は、例えば図１から図７に示すように、送話部及び又は操作部を有する第１の筐体１と受話部及び又は表示部を有する第２の筐体２とをヒンジ部３を介して回動可能に連結するとともに、前記ヒンジ部３をカバーするカバー部分の少なくとも一部が、前記第１の筐体１を構成するケース部材１１・１２及び第２の筐体２を構成するケース部材２１・２２とは独立した別部品として構成され、この別部品として構成されたカバー部材６が前記ケース部材１１・１２・２１・２２の何れかに取り付けられる構成の折畳み式携帯無線通信機において、前記カバー部材６が取り付けられるケース部材１１のカバー部材取付部の近傍に、アンテナ５を取り付けるアンテナ取付部１５を設け、このアンテナ取付部１５に取り付けた前記カバー部材とは別部品として構成されているアンテナ５を、前記カバー部材取付部に取り付けられた前記カバー部材６に形成されているリブにより押さえて固定することを特徴とする。
【０００８】
請求項１に記載の発明によれば、ケース部材のカバー部材取付部近傍のアンテナ取付部に取り付けられたアンテナが、カバー部材取付部に取り付けたカバー部材で固定されるので、内蔵アンテナを固定するための特別の部品や機構を設ける必要がない。
【０００９】
請求項２に記載の発明は、請求項１に記載の折畳み式携帯無線通信機であって、例えば図３、図５及び図７に示すように、前記アンテナ５は、板状のアンテナであることを特徴とする。
【００１０】
請求項３に記載の発明は、請求項１または２に記載の折畳み式携帯無線通信機であって、例えば図３及び図５に示すように、前記アンテナ５は、基板上に線状のアンテナがパターン形成された変形モノポールアンテナであることを特徴とする。
【発明の効果】
【００１１】
本発明によれば、内蔵アンテナをケース部材と別体のヒンジカバー部材で固定する構成であるので、内蔵アンテナを固定するための特別の部品や機構を設ける必要がなく、構造が簡単である。
【発明を実施するための最良の形態】
【００１２】
以下、図を参照して本発明を実施するための最良の形態を詳細に説明する。
図１は本発明を適用した折畳み式携帯無線通信機の一実施形態としての折畳み式携帯電話機を電池蓋側から見た状態を示したもので、１は第１の筐体、１１・１２はそのケース部材、２は第２の筐体、２１・２２はそのケース部材、３はヒンジ部である。
第１の筐体１と第２の筐体２はヒンジ部３を介して回動可能に連結されている。第１の筐体１は表側及び裏側のケース部材１１・１２を合体して構成され、折畳み状態で第２の筐体２に重なるケース部材１２に図示しない送話部及び操作部が設けられる。他方のケース部材１１には、図示のように、電池蓋１３及びコネクタカバー１４が組み付けられており、１８はスピーカ放音孔である。
第２の筐体２は表側及び裏側のケース部材２１・２２を合体して構成され、折畳み状態で第１の筐体１に重なるケース部材２２に図示しない受話部及び表示部が設けられる。
【００１３】
図２は第１の筐体１の送話部及び操作部が設けられるケース部材１２を内側から示したもので、ケース部材１２には、ヒンジ部３（図３のヒンジユニット３１参照）をカバーする左右及び中央のヒンジカバー部３２が一体に形成されている。このケース部材１２の内部に回路基板４等が組み付けられている。
回路基板４には、表裏に各種電子部品が実装されるとともに、一端側に電源端子４３及びコネクタ４４が実装されて、他端側にアンテナ用給電端子４５が実装されている。このアンテナ用給電端子４５はヒンジカバー部３２の近傍に位置している。
【００１４】
第１の筐体１の他方のケース部材１１には、図３及び図４に示すように、一端部に沿って凹部によるアンテナ取付部１５が形成されるとともに、その両側に取付ボス１６が形成されている。なお、ケース部材１１には、電池収納用開口部１７が形成されており、この電池収納用開口部１７が着脱操作可能な電池蓋１３でカバーされている。
そして、アンテナ取付部１５には、板状のアンテナ５が取り付けられる。このアンテナ５は、図５に示すように、その基板にスルーホールによる給電電極５１を有するとともに、基板上（図示では裏面側）の給電電極５１から左右両側にメアンダライン化された線状のアンテナパターン５２・５３を形成してなるものである。線状のアンテナパターン５２は通信用のアンテナエレメントであり、線状のアンテナパターン５３はＧＰＳ用のアンテナエレメントであって、何れも変形モノポールアンテナである。
【００１５】
以上のアンテナ５は、ケース部材１１のアンテナ取付部１５に置かれて、ヒンジカバー部材６により固定される。
すなわち、ヒンジカバー部材６は、ケース部材１２の左右及び中央のヒンジカバー部３２間に対応する外形が円弧状をなす左右のヒンジカバー部６１と、アンテナ５に重ねられる板状のアンテナカバー部６２とを一体形成したものである。アンテナカバー部６２には、下面に縦横方向のアンテナ押えリブ６３（図７参照）が形成されるとともに、給電電極５１を含む部分を露出する切欠部６４が形成されている。さらに、アンテナカバー部６２の両側には、アンテナ取付部１５の両側の取付ボス１６に対応する取付片６５が形成されている。
【００１６】
次に、図６はケース部材１１のアンテナ取付部１５に置いたアンテナ５の上にヒンジカバー部材６のアンテナカバー部６２を重ねた状態を示したもので、図示のように、アンテナカバー部６２の切欠部６４に給電電極５１を含む部分が露出している。また、図示例では、取付ボス１６の上に取付片６５が重なっている。
このようにアンテナ５及びヒンジカバー部材６を組み付けたケース部材１１に、他方のケース部材１２をねじ止めにより合体した状態の要部縦断面を図７に示しており、図中、７は中ケース、８はスピーカ、９は操作キーである。この状態において、回路基板４から下方に突出するアンテナ用給電端子４５が、アンテナ５の給電電極５１に接続状態となる。
【００１７】
以上の実施形態によれば、ケース部材１１・１２とは別部品のヒンジカバー部材６としたので、例えばケース部材１１とヒンジカバー部材６を別の色に塗装する場合において、マスキング無しで塗装できるものとなる。
そして、図７に示されるように、ケース部材１１に内蔵されたアンテナ５がヒンジカバー部材６のアンテナカバー部６２下面の縦横方向のアンテナ押えリブ６３により固定された簡単な構造であり、アンテナ５を固定するための特別の部品や機構を設ける必要がないものとなっている。
従って、メンテナンス時において、アンテナ５を傷付けることなく容易に着脱できるものとなる。
【００１８】
なお、以上の実施形態においては、折畳み式携帯無線通信機として携帯電話機としたが、本発明はこれに限定されるものではなく、ノート型パーソナルコンピュータ、ＰＤＡ（Personal Digital Assistance）、その他の携帯無線通信機であっても良い。
また、折畳み式携帯無線通信機としては、少なくとも第１の筐体が送話部を有して第２の筐体が受話部を有するものや、第１の筐体が操作部を有して第２の筐体が表示部を有するものであれば良い。
さらに、カバー部材及びアンテナの形状等も任意であり、例えば、アンテナカバー部６２の両側には、取付片６５に代えて、取付ボス１６の周囲に係合する円弧状係止部を形成しても良く、また、アンテナも取り扱う備品としての形状が板状であれば良く、アンテナエレメントはメアンダライン化された線状パターンのものにかぎられない。その他、具体的な細部構造等についても適宜に変更可能であることは勿論である。
【図面の簡単な説明】
【００１９】
【図１】本発明を適用した折畳み式携帯無線通信機の一実施形態の構成を示すもので、折畳み式携帯電話機を電池蓋側から見た斜視図である。
【図２】図１の折畳み式携帯電話機において、アンテナが内蔵される筐体の一方のケース部材を内側から示した斜視図である。
【図３】内蔵アンテナ、ケース部材、回路基板、ヒンジユニット、カバー部材を示した分解斜視図である。
【図４】ケース部材のアンテナ取付部を示した斜視図である。
【図５】図４のアンテナ取付部にアンテナを収容した状態を示した斜視図である。
【図６】図５のアンテナにカバー部材を重ねた状態を示した斜視図である。
【図７】アンテナ固定状態を示した要部縦断面図である。
【符号の説明】
【００２０】
１  第１の筐体
１１・１２  ケース部材
１５  アンテナ取付部
１６  取付ボス
２  第２の筐体
２１・２２  ケース部材
３  ヒンジ部
３１  ヒンジユニット
３２  アンテナカバー部
４  回路基板
４４  コネクタ
４５  アンテナ用給電端子
５  アンテナ
５１  給電電極
５２・５３  アンテナパターン
６  ヒンジカバー部材
６１  ヒンジカバー部
６２  アンテナカバー部
６３  アンテナ押えリブ
６４  切欠部
６５  取付片
【図１】
0004741893.tif 000002
【図２】
0004741893.tif 000003
【図３】
0004741893.tif 000004
【図４】
0004741893.tif 000005
【図５】
0004741893.tif 000006
【図６】
0004741893.tif 000007
【図７】
0004741893.tif 000008